(57)【特許請求の範囲】
【請求項１】
液透過性のトップシートと、バックシートと、これら両シート間に介在する吸収体とを含み、前後の長手方向が前ウエスト域と、後ウエスト域と、これらの領域間に位置するクロッチ域とで構成されており、吸収性ポリマーが２枚の液透過性シートに挟持された吸収性シートが前記トップシートと前記吸収体との間に存在する吸収性物品であって、
前記吸収性シートは、前記２枚の液透過性シートに前記吸収性ポリマーが挟持されている吸収性ポリマー存在領域と、前記２枚の液透過性シートに前記吸収性ポリマーが挟持されていない吸収性ポリマー非存在領域とを有し、
前記吸収性シートは、少なくとも前記後ウエスト域の一部の領域に配置され、
前記吸収性シートの前記クロッチ域の長手方向の中央に対して前記後ウエスト域側に配置された前記吸収性ポリマー存在領域の平面方向の形状は、前記吸収性物品の長手方向で前記前ウエスト域から前記後ウエスト域への方向に頂点が向いた略Ｖ字形状である吸収性物品。
【請求項２】
前記吸収性ポリマー存在領域は、前記吸収性シートの前記吸収性ポリマーを挟持する２枚の液透過性シートを接合する仮止め手段によって複数の区画領域に区画され、
前記仮止め手段は、前記吸収性ポリマーが膨潤すると、前記吸収性シートの前記吸収性ポリマーを挟持する２枚の液透過性シートの間の接合を解除する請求項１に記載の吸収性物品。
【請求項３】
前記吸収性ポリマー存在領域は、前記吸収性シートの前記吸収性ポリマーを挟持する２枚の液透過性シートを接合する接合手段によって、前記吸収性物品の幅方向に並ぶ複数の区画領域に区画され、
複数の前記区画領域に投入される吸収性ポリマーの量は、前記吸収性物品の幅方向の中央に位置する区画領域ほど多く、幅方向の中央に対して幅方向外方に進むにしたがって少ない請求項１に記載の吸収性物品。
【請求項４】
前記吸収性シートの少なくとも吸収性ポリマー存在領域における前記液透過性シートの前記吸収性ポリマーを挟持する少なくとも一方の面に、前記吸収性物品の長手方向に延び、前記吸収性物品の幅方向に複数並ぶ接着部が設けられている請求項１〜３のいずれか１項に記載の吸収性物品。
【請求項５】
前記吸収性シートの少なくとも吸収性ポリマー存在領域における前記液透過性シートの前記吸収性ポリマーを挟持するそれぞれの面に、前記吸収性物品の長手方向に延び、前記吸収性物品の幅方向に複数並ぶ接着部が設けられ、
前記吸収性シートにおける前記吸収体側の液透過性シートに設けられた接着部の隣接する接着部同士の間の接着部間距離は、前記吸収性シートにおける前記トップシート側の液透過性シートに設けられた接着部の接着部間距離に比べて小さい請求項４に記載の吸収性物品。
【請求項６】
前記吸収性ポリマー存在領域は、前記吸収性物品の長手方向に延びる直線に対して４５°と８０°との間の角度で傾いている請求項１〜５のいずれか１項に記載の吸収性物品。
【請求項７】
前記吸収性ポリマー非存在領域は、ヒートシールされており、前記吸収性ポリマー非存在領域における吸収性物品の幅方向の長さの合計が一定である請求項１〜６のいずれか１項に記載の吸収性物品。
【発明の詳細な説明】
【技術分野】
【０００１】
本発明は、吸収性物品に関し、とくに尿取りパッド、使い捨ておむつ、排泄トレーニングパンツ、失禁ブリーフなどの吸収性物品に関する。
【背景技術】
【０００２】
平面方向に配置された複数のポケットの中に吸収体を入れた吸収性物品が従来技術として知られている（たとえば、特許文献１，２，３）。特許文献１に記載の吸収性物品では、ポケットは平面視で長方形状に形成されており、吸収ポリマーはそのポケットの長軸方向に移動可能に配されている。引用文献２に記載の吸収性物品では、中に超吸収材が配置されているポケットは不連続かつジグザグに配置されている。引用文献３に記載の吸収性物品では、複数のポケットは、長手方向に延び、幅方向に並べて配置されており、ポケットの幅は、長手方向中心から長手方向の端に向かって徐々に広くなっている。
【先行技術文献】
【特許文献】
【０００３】
【特許文献１】特開２００９−１３１５１０号公報
【特許文献２】特表平９−５０４２０６号公報
【特許文献３】特開２００４−２９８３３０号公報
【発明の概要】
【発明が解決しようとする課題】
【０００４】
しかしながら、特許文献１，２，３に記載されているような従来の吸収性物品では、吸収体が入っているポケットが着用者の左右の臀部の境界部分の凹部にフィットしていないため、着用者の肌を伝わり拡散した尿が吸収性物品の外へ漏れるという問題が生じる場合がある。
【課題を解決するための手段】
【０００５】
本発明は、上記課題を解決するため、以下の構成を採用した。
すなわち、本発明は、液透過性のトップシートと、バックシートと、これら両シート間に介在する吸収体とを含み、前後の長手方向が前ウエスト域と、後ウエスト域と、これらの領域間に位置するクロッチ域とで構成されており、吸収性ポリマーが２枚の液透過性シートに挟持された吸収性シートがトップシートと吸収体との間に存在する吸収性物品であって、吸収性シートは、２枚の液透過性シートに吸収性ポリマーが挟持されている吸収性ポリマー存在領域と、２枚の液透過性シートに吸収性ポリマーが挟持されていない吸収性ポリマー非存在領域とを有し、吸収性シートは、少なくとも後ウエスト域の一部の領域に配置され、吸収性シートのクロッチ域の長手方向の中央に対して後ウエスト域側に配置された吸収性ポリマー存在領域の平面方向の形状は、吸収性物品の長手方向で前ウエスト域から後ウエスト域への方向に頂点が向いた略Ｖ字形状である。
【発明の効果】
【０００６】
本発明によれば、排泄された尿が着用者の肌を伝わり拡散する場合であっても尿が吸収性物品の外へ漏れない。
【図面の簡単な説明】
【０００７】
【図１】図１は、着用者の肌側から見たときの本発明の一実施形態の吸収性物品の平面図である。
【図２】図２は、図１のＡ−Ａ断面の概略図である。
【図３】図３は、本発明の一実施形態の吸収性物品の分解図である。
【図４】図４は、本発明の一実施形態の吸収性物品の着用状態を示す図である。
【図５】図５は、着用者の臀部の体圧分布を示す図である。
【図６】図６は、吸収性物品の長手方向に延びる直線に対する吸収性ポリマー存在領域の傾きを示す図である。
【図７】図７は、吸収性シートの作製方法を説明するための図である。
【図８】図８は、着用者の排尿口が吸収性物品に接している場合の、本発明の一実施形態における吸収性物品の排泄された尿の吸収を説明するための図である。
【図９】図９は、着用者の排尿口が吸収性物品に接していない場合の、本発明の一実施形態における吸収性物品の排泄された尿の吸収を説明するための図である。
【図１０】図１０は、本発明の一実施形態の吸収性物品の変形例を示す図である。
【図１１】図１１は、本発明の一実施形態の吸収性物品における吸収性シートの変形例を示す図である。
【図１２】図１２は、本発明の一実施形態の吸収性物品において、吸収性シートの変形例における仮止めを説明するための図である。
【図１３】図１３は、本発明の一実施形態の吸収性物品における吸収性シートの変形例を示す図である。
【発明を実施するための形態】
【０００８】
以下、図を参照して本発明の一実施形態の吸収性物品を説明する。本発明の一実施形態の吸収性物品は、尿取りパッドである。
図１は、着用者の肌側から見たときの本発明の一実施形態の吸収性物品の平面図であり、図２は、図１のＡ−Ａ断面の概略図であり、図３は、本発明の一実施形態の吸収性物品の分解図であり、図４は、本発明の一実施形態の吸収性物品の着用状態を示した図である。ここで、図に示されたｘ軸方向を吸収性物品１の幅方向とし、ｙ軸方向を吸収性物品１の長手方向とする。また、ｘｙ方向を吸収性物品１の平面方向とする。
【０００９】
図１に示すように、吸収性物品１は、前ウエスト域１１と、後ウエスト域１２と、前ウエスト域１１および後ウエスト域１２の間のクロッチ域１３とに分けられる。ここで、吸収性物品１の前ウエスト域１１側を吸収性物品１の前側とし、吸収性物品１の後ウエスト域１２側を吸収性物品１の後側とする。図４に示すように、クロッチ域１３は、吸収性物品の着用時に着用者１００の股部にあてがわれる領域であり、前ウエスト域１１は、クロッチ域１３に対して前腹側の領域であり、後ウエスト域１２は、クロッチ域１３に対して後側の領域である。クロッチ域１３では、吸収性物品１の幅方向の長さが小さくなるように側部１４が屈曲または湾曲している。ここで、股部とは、着用者が直立したとき、着用者の両大腿部に挟まれる股の領域である。したがって、前ウエスト域１１は着用者の腹側を覆い、後ウエスト域１２は、着用者の臀部を覆うことになる。すなわち、クロッチ域１３は着用者の股部にあてがう領域であり、前ウエスト域１１は、着用者の股部に対して前側を覆う領域であり、後ウエスト域１２は、着用者の股部に対して後側を覆う領域である。
【００１０】
本発明の一実施形態における吸収性物品１は、透液性のトップシート２０と、トップシート２０と対向する位置に設けられたバックシート３０と、トップシート２０およびバックシート３０の間に設けられた吸収体４０とを含む。トップシート２０と吸収体４０との間には、吸収性シート５０が配置される。トップシート２０の幅方向両側には、漏れ防止カフ７０が配置されている。
【００１１】
トップシート２０は、排泄された尿を透過する液透過性のシートであり、着用者が吸収性物品１を装着したときに感じる肌触りをよくするために、着用者の肌と接触する表面に設けられる。したがって、トップシート２０は、肌触りを良好にする機能を有していることが好ましい。たとえば、トップシート２０は、細い繊維で作製され、表面が平滑で、変形に対して自由度が大きいことが必要である。トップシート２０には、一般に不織布が用いられる。トップシート２０に用いられる不織布には、スパンボンド不織布、ポイントボンド不織布、エアスルー不織布などが挙げられる。トップシート２０は、前ウエスト域１１、クロッチ域１３および後ウエスト域１２にわたって配置されている。
【００１２】
バックシート３０は、尿を透過しない液不透過性シートであり、排泄された尿が外に漏れないようにするために設けられている。バックシート３０の材料は、排泄された尿を透過しない材料であれば、とくに限定されない。たとえば、防水処理を施した不織布、ポリエチレンなどから構成されるプラスチックフィルム、不織布とプラスチックフィルムとの複合材料などをバックシート３０に用いることができる。また、水蒸気がバックシート３０を通って発散することによって着用時の吸収性物品１の蒸れを防止するために、バックシート３０に通気性フィルムを使用してもよい。なお、おむつの内側に用いる尿取りパッドなどの場合は、バックシート３０は液不透過性でなくてもよい。バックシート３０は、前ウエスト域１１、クロッチ域１３および後ウエスト域１２にわたって配置されている。
【００１３】
吸収体４０は排泄された尿を吸収し保持する機能を有する。吸収体４０には、たとえば、フラッフ状パルプやエアレイド不織布と高吸収性ポリマー（Super Absorbent Polymer：ＳＡＰ）とからなる吸収体が挙げられる。また、吸収体４０には、フラッフ状パルプの代わりに、たとえば、化学パルプ、セルロース繊維、レーヨン、アセテートなどの人工セルロース繊維、ポリオレフィン、ポリエステル、ポリアミドなどの合成繊維（複合繊維も含む）を用いた繊維ネットワーク吸収体、ポリウレタン等のフォーム材を用いた発泡吸収体などが挙げられる。
【００１４】
吸収体４０は、バックシート３０の略相似形であり、吸収体４０の大きさはバックシート３０に比べて小さい。吸収体４０は、前ウエスト域１１、クロッチ域１３および後ウエスト域１２にわたって配置されている。吸収体４０は、貫通部４１と圧搾溝４２とを有する。貫通部４１は、吸収体４０を厚さ方向に貫通する穴であり、貫通部４１は、吸収体４０の幅方向の中央の位置で、前ウエスト域１１からクロッチ域１３にかけて長さ方向に延びている。しかし、貫通部４１は、吸収体４０の吸収性シート５０が配置されている領域までは長手方向に延びてない。圧搾溝４２は、貫通部４１の両脇に並べて配置され、前ウエスト域１１からクロッチ域１３にかけて長さ方向に延び、吸収体４０のトップシート側の面から凹んでいる溝である。圧搾溝４２の長手方向の長さは、貫通部４１の長手方向の長さに比べて短い。吸収体４０のトップシート２０側の面からバックシート３０側の面へ吸収体４０を加熱・加圧することによって、圧搾溝４２は形成される。吸収体４０は、ホットメルト接着剤（Hot Melt Adhesive：ＨＭＡ）３１によりバックシート３０と接着している。吸収体は、バックシート３０の略相似形にせず、矩形、長円形などに代えることができる。
【００１５】
吸収性シート５０は、吸収性ポリマー５１を２枚の液透過性シート５２，５３で挟持した吸収性シートである。なお、吸収性ポリマーを３枚以上の液透過性シートで挟持して吸収性シートを作製してもよい。吸収性シート５０は、トップシート２０および吸収体４０と接合されている。吸収性ポリマーは、水を吸収する吸収性ポリマーであり、たとえば、水溶性高分子が適度に架橋された三次元網目構造を有する吸収性高分子ポリマーである。このような吸収性高分子ポリマーは、水を吸収する前の体積の数百倍〜千倍の水を吸収するが本質的に水不溶性であり、一旦吸収された水は多少の圧力を加えても離水しない。吸収性ポリマーには、たとえば、デンプン系、アクリル酸系、アミノ酸系の粒子状または繊維状のポリマーが挙げられる。吸収性ポリマー５１を２枚の液透過性シート５２，５３で挟持した後、２枚の液透過性シート５２，５３を接着することで、吸収性シート５０は作製される。したがって、吸収性ポリマー５１を２枚の液透過性シート５２，５３で挟持した後、吸収性ポリマーがこぼれてしまうのを防ぐために吸収性ポリマーの粒径は、液透過性シート５２，５３の繊維間隙に比べて細かくない方が好ましい。
【００１６】
液透過性シート５２，５３には、たとえば、スパンボンド不織布、ポイントボンド不織布、エアスルー不織布、ＳＭＳ（Spun bond-Melt blown- Spun bond）不織布などを用いることができる。２枚の液透過性シート５２，５３のうち、トップシート２０側に配置されている液透過性シート５２を以下、上面液透過性シートと呼び、吸収体４０側に配置されている液透過性シート５３を以下、下面液透過性シートと呼ぶ。２枚の液透過性シート５２，５３のうち、少なくとも上面液透過性シート５２は、親水性を有する。下面液透過性シート５３も親水性を有していてもよい。
【００１７】
上面液透過性シート５２および下面液透過性シート５３の吸収性ポリマー５１を挟持する面には、長手方向に延び、幅方向に複数並ぶ接着部５６が設けられている。なお、上面液透過性シート５２および下面液透過性シート５３のうちの少なくとも一方の液透過性シートの吸収性ポリマー５１を挟持する面に接着部５６を設けてもよい。また、後述の吸収性ポリマー存在領域５４に対応する上面液透過性シート５２および／または下面液透過性シート５３の領域のみに接着部５６を設けてもよい。すなわち、吸収性シート５０の少なくとも吸収性ポリマー存在領域５４における液透過性シート５２，５３に接着部５６を設ける。接着部５６は、たとえば、ホットメルト接着剤を筋状に塗工することによって形成される。これにより、吸収性ポリマー５１は、上面液透過性シート５２および下面液透過性シート５３に固定される。これにより、吸収性ポリマー５１が、後述の吸収性ポリマー存在領域５４内に均等に固定される。接着部５６は長手方向に延び、幅方向に並ぶのは、すなわち、接着部５６が筋状であるのは、接着部５６における尿の透過性はよくないため、接着部５６の存在しない領域を設けるためである。したがって、接着部５６が存在しない領域を設けることができる塗工方法であれば、すなわち、接着部を間欠的に配置できる塗工方法であれば、筋状塗工方法に限定されず、オメガ塗工などの非接触塗工方法でもよい。下面液透過性シート５３に設けられた接着部５６の隣接する接着部同士の間の接着部間距離は、上面液透過性シート５２に設けられた接着部５６の接着部間距離に比べて小さい。これにより、トップシート側から来た尿を透過しやすく、吸収体側から来た尿を液戻りさせにくくさせる。
【００１８】
また、上面液透過性シート５２および下面液透過性シート５３に、青色などに着色された筋状の接着部５６を設けることによって、吸収性物品１に青色などの色の縞状の模様が付されるので、吸収性物品１の外観がよくなる。なお、下面液透過性シート５３の吸収性ポリマー５１を挟持する面のみに接着部５６を設けるようにしてもよい。上面液透過性シート５２および／または下面液透過性シート５３に接着部５６を設けることによって、吸収性ポリマー５１が膨潤する前に吸収性ポリマー５１が吸収性シート５０内を移動するのを抑制することができる。
【００１９】
吸収性シート５０では、吸収性ポリマー５１は、複数の領域５４（以下、吸収性ポリマー存在領域と呼ぶ）に分けて配置され、それぞれの吸収性ポリマー存在領域５４の間に吸収性ポリマー５１が配置されていない領域（以下、吸収性ポリマー非存在領域と呼ぶ）５５を設けられている。これにより、吸収性ポリマー存在領域５４の吸収性ポリマー５１が尿を吸収して膨潤しきってしまい、尿をさらに吸収できなくなった場合でも、尿は吸収性ポリマー非存在領域５５を通過して、吸収体４０に吸収される。
【００２０】
上述したように、上面液透過性シート５２と下面液透過性シート５３との間に吸収性ポリマー５１が挟持されている領域が吸収性ポリマー存在領域５４であり、上面液透過性シート５２と下面液透過性シート５３との間に吸収性ポリマー５１が挟持されておらず、上面液透過性シート５２と下面液透過性シート５３とが接合されている領域が吸収性ポリマー非存在領域５５である。この上面液透過性シート５２と下面液透過性シート５３との間の接合には吸収性ポリマー５１の膨潤による膨張力に耐えうる強度が必要である。さもないと、吸収性ポリマー５１の膨潤によって、上面液透過性シート５２が下面液透過性シート５３からはがれて２枚の液透過性シート５２，５３の間に隙間が生じ、その隙間に吸収性ポリマー５１が入り込んで、吸収性ポリマー非存在領域５５がなくなってしまう場合がある。この上面液透過性シート５２と下面液透過性シート５３との間の接合には、ヒートシール、ソニックシール、接着剤などを用いることができる。
【００２１】
ヒートシールによる接合では、吸収性ポリマー非存在領域５５における尿の透過性を良好にするために、断面形状が円形または矩形形状であるピンを使用して、加熱・加圧部分が均一なドット形状になるようにヒートシールを行ってもよい。接着剤を用いて上面液透過性シート５２に下面液透過性シート５３を接合させる場合、吸収性ポリマー５１が膨潤しているとき上面液透過性シート５２および下面液透過性シート５３は、湿潤状態であるので、接着剤は、湿潤時においても強度を発揮するタイプが好ましい。
【００２２】
吸収性シート５０のクロッチ域１３の長手方向の中央に対して後ウエスト域１３側に配置された吸収性ポリマー存在領域５４の平面方向の形状は、吸収性物品１の長手方向で前ウエスト域１１から後ウエスト域１２への方向に凸であり、かつ吸収性物品１の幅方向に延びる略Ｖ字形状である。すなわち、吸収性ポリマー存在領域５４の平面方向の形状は、吸収性物品１の長手方向で前ウエスト域１１から後ウエスト域１２への方向に頂点が向いた略Ｖ字形状である。ただし、前ウエスト域１１からもっとも離れている吸収性ポリマー存在領域５４は、略Ｖ字形状の幅方向の中央を切り欠いて得られる形状である。３つの吸収性ポリマー存在領域５４が、吸収性物品１の長手方向に並んでいる。吸収性ポリマー存在領域５４の長手方向の凸部分の先端は、吸収性物品の幅方向の中心を通り長手方向に延びる直線上に位置する。
【００２３】
図５は、着用者の臀部の体圧分布を示す図である。着用者１００の臀部１１０に示される曲線１２１〜１２３は体圧の等圧線を示す。また、吸収性物品１を着用したときの吸収性シート５０の位置も図５に示す。吸収性シート５０の吸収性ポリマー存在領域５４は、着用者１００の体圧の等圧線に沿った形状である。これにより、吸収性ポリマー存在領域５４は着用者１００の体圧により略Ｖ字形状がさらに曲がるように変形し、吸収性ポリマー存在領域５４は着用者１００の左右の臀部１１０の境界部分の凹部１１１にフィットするようになり、着用者と吸収性物品１との間の隙間が生じにくくなる。
【００２４】
図６は、吸収性物品の長手方向に延びる直線に対する吸収性ポリマー存在領域の傾きを示す図である。図６で、１点鎖線２１０が吸収性物品１の幅方向の中心を通り長手方向に延びる直線を示し、一点鎖線２２０が吸収性ポリマー存在領域５４の傾き方向を示し、θが吸収性物品１の長手方向に延びる直線２１０に対する吸収性ポリマー存在領域５４の傾き２２０の角度を示す。吸収性ポリマー存在領域５４の傾きθは、４５°と８０°との間の角度であることが好ましい。吸収性ポリマー存在領域５４の傾きθが４５°よりも小さいと、吸収性ポリマー非存在領域５５が吸収性物品１の長手方向に向かって延びすぎることになる。このため、尿などの排泄物が、吸収性ポリマー非存在領域５５を通って、吸収性物品１の後ウエスト側１２における長手方向の端に流れやすくなり、吸収性物品１のその端から排出物が漏れてしまう場合がある。吸収性ポリマー存在領域５４の傾きθが８０°よりも大きいと、吸収性シート５０の形状は、着用者の臀部形状および臀部の体圧の分布に合わなくなり、着用者の臀部と吸収性物品１との間に隙間が生じてしまう場合がある。
【００２５】
吸収性シート５０の吸収性ポリマー５１が、排泄された尿を吸収すると、吸収性ポリマー５１は膨潤し、吸収性ポリマー存在領域５４はトップシート２０側に膨れる。これにより、吸収性シート５０は、着用者１００の臀部１１０にさらにフィットするようになり、着用者１００と吸収性物品１との間の隙間が発生しづらくなる。
【００２６】
吸収性シート５０は、少なくとも後ウエスト域１２の一部の領域に配置される。さらに、吸収性シート５０は、クロッチ域１３の長手方向の中央から後ウエスト域１２にわたる領域における、少なくとも後ウエスト域１２の一部の領域に配置されることが好ましい。これにより、着用者の排尿口が吸収性物品１に接している場合は、吸収性シート５０を透過せずに排出された尿を吸収体４０に直接吸収させることができ、着用者の排尿口が吸収性物品１に接していない場合に、吸収性シート５０に尿を吸収させることができる。
【００２７】
図７を参照して吸収性シート５０の作製方法を説明する。下面液透過性シート３１２は、ホットメルト接着剤を筋状に塗布された後、サンクションドラム３１４に供給される。サンクションドラム３１４は、吸収性ポリマー存在領域５４のパターンの部分だけ吸引している。これにより、ダクト３１６のポリマー投入管３１８から供給された吸収性ポリマー３２０は、吸収性ポリマー存在領域５４のパターンの部分に集まる。これにより、下面液透過性シート３１２上の吸収性ポリマー存在領域５４に対応する領域に吸収性ポリマー３２０は堆積される。上面液透過性シート３２２は、ホットメルト接着剤を筋状に塗布された後、サンクションドラム３１４に供給される。そして、吸収性ポリマー３２０が堆積された下面液透過性シート３１２の上に上面液透過性シート３２２が積層され、ヒートシール装置３２４に送られる。ヒートシール装置３２４では、吸収性ポリマー３２０を挟んだ液透過性シート３１２，３２２のうちの吸収性ポリマー非存在領域に対応する領域がヒートシールされる。そして不図示の切断機でヒートシールされた液透過性シートは吸収性シートの形状に切断され、吸収性シートが完成する。
【００２８】
上記吸収性シート５０の作製方法で、上面液透過性シート３２２および下面液透過性シート３１２にホットメルト接着剤を塗布するのは、吸収性ポリマー３２０を下面液透過性シート３１２上に堆積してから吸収性ポリマー３２０を挟んだ上面液透過性シート３２２および下面液透過性シート３１２をヒートシールするまでの間、堆積した吸収性ポリマー３２０の位置がずれないようにするためである。
【００２９】
ヒートシールによって吸収性ポリマー非存在領域５５を形成する場合、ヒートシールの幅方向の線圧が一定になるほど、全体に均一なシール強度になるので、ヒートシールの幅方向の線圧は一定であることが好ましい。ヒートシールの幅方向の線圧を均一にするためには、シールされる領域の幅方向の長さの合計を一定にする必要がある。たとえば、上述のように、吸収性ポリマー存在領域５４を略Ｖ字形状にし、長手方向に並べることによって吸収性ポリマー非存在領域５５の幅方向の長さの合計をほぼ一定にすることができる。また、吸収性ポリマー非存在領域５５の幅方向の長さの合計をさらに一定にするために、図６に示すように、吸収性ポリマー非存在領域５５の幅方向側の両縁部２３０間の距離を広げたり狭めたりするようにしてもよい。
【００３０】
また、ヒートシールによって吸収性ポリマー非存在領域５５を形成する場合に、ヒートシールの幅方向の線圧が急に変化するのは好ましくない。長手方向に進行して吸収性ポリマーを挟持した液透過性シートをヒートシールする場合、ヒートシールしない領域が長手方向に向かって少しずつ増えるようにするために、前ウエスト域１１からもっとも離れている吸収性ポリマー存在領域５４は、略Ｖ字形状の幅方向の中央を切り欠いて得られる形状であるようにした。
【００３１】
漏れ防止カフ７０は、排泄された尿が吸収性物品１の幅方向の位置から外部へ漏れるのを防止する。吸収性物品１の幅方向両側部には、長手方向に延びる漏れ防止カフ７０が配置されている。漏れ防止カフ７０には、ＳＭＳ不織布などの疎水性の不織布が用いられる。ＳＭＳ不織布に代えて、防水フィルムなどの防漏性材料を用いることもできる。漏れ防止カフ７０は、吸収性物品１の幅方向側部においてトップシート２０またはバックシート３０とホットメルト接着剤を用いて接合され、基端部７４と自由端部７５とを有する。基端部７４は、吸収性物品１の幅方向側部と接合している。ホットメルト接着剤に代えて、ヒートシールで固定することもできる。また、基端部７４は、吸収性物品１の側縁やバックシート表面に位置させることもできる。自由端部７５は、基端部７４に対して、吸収性物品１の幅方向の内側に位置している。漏れ防止カフ７０の自由端部７５の縁部７１近傍には、長手方向に延びるとともに伸長状態で取り付けられた弾性体７２が設けられている。また、漏れ防止カフ７０の自由端部７５の長手方向の端側の領域７３が、トップシート２０およびバックシート３０と、ホットメルト接着剤を用いて接合されている。弾性体７２の収縮力が発現すると、漏れ防止カフ７０の長手方向の端側の領域７３を除く漏れ防止カフ７０の自由端部７５が、弾性体７２の収縮力によってトップシート２０から起立して、排泄された尿が吸収性物品１の幅方向の位置から漏れるのを防止する。漏れ防止カフ７０は、吸収性物品１の全長にわたって配置されている必要はなく、少なくともクロッチ域１３から後ウエスト域１２にわたって配置されていればよい。
【００３２】
次に図を参照して、本発明の一実施形態における吸収性物品１の排泄された尿の吸収について説明する。
【００３３】
着用者の排尿口が吸収性物品１に接している場合、図８に示すように、排泄された尿は、クロッチ域１３の吸収性シート５０が配置されていない部分からトップシート２０を通過し（矢印４１０）、吸収体４０に到達する。吸収体４０に到達した尿は吸収体４０の液拡散シート５０側の面から吸収される。吸収体４０の貫通部４１に到達した一部の尿（矢印２１０）は、貫通部４１の側壁から吸収され（矢印４２０）、吸収体４０の圧搾溝４２に到達した一部の尿は、圧搾溝４２の側壁から吸収される。貫通部４１および／または圧搾溝４２を吸収体４０に設けることによって、排泄された尿が長手方向へ移動しやすくなるので、排泄された尿の吸収体４０への拡散が速くなる。
【００３４】
着用者が仰向けに寝て、着用者の臀部から吸収性物品１の後ウエスト域１２に体圧が加えられた場合、吸収体４０に吸収された尿はしみ出すが、しみ出した尿は吸収性シート５０によって着用者の肌側に到達しにくくなる。なぜならば、体圧によって吸収体４０からしみ出した尿は、吸収性シート５０によって吸収されるからである。一方、クロッチ域１３における吸収性シート５０が配置されていない領域および前ウエスト域１１では、吸収性物品１に対して圧力が加えられることがあまりないので、吸収体４０に吸収された尿が吸収体４０からしみ出したりすることは少ない。したがって、尿が排泄された後も着用者の肌はサラッとしており、排泄された尿による着用者の肌のかぶれを抑制することができる。
【００３５】
着用者の排尿口が吸収性物品１に接していない場合、たとえば、着用者が仰向けに寝ている場合、図９に示すように、排泄された尿は、着用者の肌を伝わって、クロッチ域１３および／または後ウエスト域１２における吸収性シート５０が配置されている部分のトップシート２０に到達する（矢印４３０）。トップシート２０に到達した尿は、吸収性シート５０によって吸収される。また、上述したように、吸収性ポリマーは一旦吸収された水は多少の圧力を加えても離水しない性質を有するので、着用者が仰向けに寝て、着用者の臀部から吸収性物品１の後ウエスト域１２に体圧が加えられた場合でも、吸収性シート５０に吸収された尿は体圧によって吸収性シート５０からしみ出すことは少ない。したがって、尿が排泄された後も着用者の肌はサラッとしており、排泄された尿による着用者の肌のかぶれを抑制することができる。また、排出された尿が吸収性物品１の外へ漏れることはない。
【００３６】
上述したように、３つの吸収性ポリマー存在領域５４が、吸収性物品１の長手方向に並んでいる。したがって、図６に示す１つめの吸収性ポリマー存在領域５４の吸収性ポリマーが吸収できなかった尿も２つめおよび３つめの吸収性ポリマー存在領域５４の吸収性ポリマーが吸収することができるので、着用者の肌を伝わり拡散した尿が吸収性物品１の長手方向の端の部分から外へ漏れるのを確実に防止することができる。また、吸収性ポリマー存在領域５４は、幅方向に延びており、長手方向に延びる溝が存在しないので着用者の肌を伝わり拡散した尿が吸収性物品の長手方向の部分から外へ漏れるのを確実に防止することができる。
【００３７】
以上の一実施形態による吸収性物品１を次のように変形することができる。
（１）図１０に示す吸収性物品１Ａのように吸収性シート５０Ａは、前ウエスト域１１、クロッチ域１３および後ウエスト域１２にわたって配置されるようにしてもよい。この場合、着用者の排尿口が吸収性物品１に接しているとき、排泄された尿が吸収体４０に吸収されるようにするために、吸収性シート５０Ａのクロッチ域１３の長手方向の中央に対して前ウエスト域１１側では、吸収性物品１Ａの幅方向の中央の領域には、吸収性ポリマー存在領域６１Ａを配置しないことが好ましい。たとえば、図１０に示す吸収性物品１Ａのように、吸収性シート５０Ａのクロッチ域１３の長手方向の中央に対して前ウエスト域１１側では、吸収性物品１Ａの幅方向の中央の領域に対して、両側に長手方向に並んだ複数の吸収性ポリマー存在領域６１Ａを配置し、吸収性物品１Ａの幅方向の中央に吸収性ポリマー非存在領域６２Ａを配置するようにするようにしてもよい。これにより、着用者の排尿口が吸収性物品１に接しているときに、尿の排泄に吸収体４０の尿の吸収が追いつかない場合、吸収性シート５０Ａの尿の吸収によって、尿が吸収性物品１Ａの前ウエスト域１１およびクロッチ域１３から漏れるのを抑制することができる。また、吸収性物品１Ａの幅方向の中央の領域には、吸収性シート５０Ａを設けないようにしてもよい。また、吸収性シート５０Ａのクロッチ域１３の長手方向の中央に対して前ウエスト域１１側に別体の吸収性シートを追加することによって、吸収性シート５０が、前ウエスト域１１、クロッチ域１３および後ウエスト域１２にわたって配置されるようにしてもよい。
【００３８】
（２）図１１に示す吸収性シート５０Ｂのように、複数の区画された領域（以下、区画領域と呼ぶ）、たとえば４つの区画領域に区画されるように仮止め６３Ｂを行うようにしてもよい。これにより、吸収性ポリマー存在領域５４Ｂの吸収性ポリマーが吸収性ポリマー存在領域５４Ｂの一部の領域に偏って存在するのを抑制することができる。ここで、仮止め６３Ｂとは、図１２（ａ）に示すように、吸収性ポリマー５１Ｂが膨潤する前は、上面液透過性シート５２Ｂは下面液透過性シート５３Ｂと接合しているが、図１２（ｂ）に示すように、吸収性ポリマー５１Ｂが膨潤すると接合が解除される接合６３Ｂをいう。仮止め６３Ｂにはヒートシール、ソニックシール、接着剤などの接合手段を用いることができる。図１１に示す吸収性シート５０Ｂにおける吸収性ポリマー存在領域５４Ｂの幅方向の中央では、３つのヒートシールによる仮止め６３Ｂが設けられており、幅方向の中央に対して両幅方向側では、２つのヒートシールによる仮止め６３Ｂが設けられている。なお、仮止めによる吸収性ポリマー存在領域５４Ｂの分割は、２つ以上の区画領域への区画であれば、４つの区画領域への区画に限定されない。また、仮止め６３Ｂにより、上面液透過性シート５２Ｂは下面液透過性シート５３Ｂと接合していれば、仮止め６３Ｂの周りに吸収性ポリマーが存在してもよい。
【００３９】
（３）図１３に示す吸収性シート５０Ｃのように、吸収性ポリマー存在領域５４Ｃが、複数の区画された領域（以下、区画領域と呼ぶ）、たとえば４つの区画領域６５Ｃ〜６８Ｃに区画されるように接合６４Ｃを行うようにしてもよい。ここで、接合６４Ｃは、上述の仮止めであってもよいし、吸収性ポリマー存在領域５４Ｃの吸収性ポリマーが膨潤しても接合が解除されないものであってもよい。幅方向に複数の区画領域に区画された吸収性ポリマー存在領域５４Ｃのそれぞれの区画領域に投入される吸収性ポリマーの量は、吸収性シート５０Ｃの幅方向の中央に位置する区画領域ほど多くし、幅方向の中央に対して幅方向外方に進むにしたがって少なくするようにしてもよい。すなわち、吸収性ポリマー存在領域５４Ｃの区画領域６６Ｃに投入される吸収性ポリマーの量は、吸収性ポリマー存在領域５４Ｃの区画領域６５Ｃに投入される吸収性ポリマーの量よりも多く、吸収性ポリマー存在領域５４Ｃの区画領域６７Ｃに投入される吸収性ポリマーの量は、吸収性ポリマー存在領域５４Ｃの区画領域６８Ｃに投入される吸収性ポリマーの量よりも多くしてもよい。これにより、吸収性シート５０Ｃの幅方向の中央の領域がもっとも厚くなり、幅方向外方に進むにしたがって吸収性シート５０Ｃの厚みは薄くなるので、吸収性シート５０Ｃを設けた吸収性物品は着用者の臀部によりフィットするようになる。図１３に示す吸収性シート５０Ｃにおける吸収性ポリマー存在領域５４Ｃの幅方向の中央では、３つのヒートシールによる接合６４Ｃが設けられており、幅方向の中央に対して両幅方向側では、２つのヒートシールによる接合６４Ｃが設けられている。なお、上記接合による吸収性ポリマー存在領域の分割は、２つ以上の区画領域への区画であれば、４つの区画領域への区画に限定されない。また、上記接合６４Ｃにより、上面液透過性シートは下面液透過性シートと接合していれば、上記接合６４Ｃの周りに吸収性ポリマーが存在してもよい。また、吸収性ポリマー存在領域５４Ｃの幅方向に並ぶ領域６５Ｃ〜６８Ｃの幅方向の長さは、同じでもよいし、異なっていてもよい。
【００４０】
（４）以上の一実施形態の吸収性物品１では、吸収体４０の幅方向の中央の位置で、前ウエスト域１１からクロッチ域１３にかけて長さ方向に延びている貫通部４１を吸収体４０に設けたが、貫通部４１の代わりに、吸収体４０のトップシート２０側の面から凹んで、吸収体４０が薄くなっている溝部を設けてもよい。
【００４１】
（５）以上の一実施形態の吸収性物品１では、吸収性物品１に配置されている吸収体４０は１つであった。しかし、２つ以上の吸収体を吸収性物品に配置してもよい。たとえば、吸収体４０の代わりに、２つの吸収体を厚さ方向に重ねたものを吸収性物品に配置してもよい。また、この場合、２つの吸収体のうち、トップシート側の吸収体のみに貫通部または溝部を設けるようにしてもよい。
【００４２】
（６）吸収体４０の貫通部４１または溝部は、吸収体の吸収性シート５０が設けられている領域内まで長手方向に延びるようにしてもよい。これにより、排泄された尿が、吸収性シート５０の下側に早く移動できるので、吸収体４０に吸収された尿のより多くが、吸収性シート５０によって着用者の肌側に到達しにくくなる。
【００４３】
本発明は尿取りパッドに限定されない。本発明は、たとえば、使い捨ておむつ、排泄トレーニングパンツ、失禁ブリーフなどの吸収性物品であってもよい。
【００４４】
実施形態と変形例の一つ、もしくは複数を組み合わせることも可能である。変形例同士をどのように組み合わせることも可能である。
【００４５】
以上の説明はあくまで一例であり、発明は、上記の実施形態に何ら限定されるものではない。
【符号の説明】
【００４６】
１，１Ａ    吸収性物品
２０    トップシート
３０    バックシート
３１    ホットメルト接着剤
４０    吸収体
４１    貫通部
４２    圧搾溝
５０，５０Ａ〜５０Ｃ    吸収性シート
５１，５１Ｂ，３２０    吸収性ポリマー
５２，５２Ｂ，３２２    上面液透過性シート
５３，５３Ｂ，３１２    下面液透過性シート
５４，５４Ｂ，６１Ａ    吸収性ポリマー存在領域
５５，６２Ａ    吸収性ポリマー非存在領域
５６    接着部
６３Ｂ    仮止め
６４Ｃ    接合
６５Ｃ〜６８Ｃ    区画領域
７０    漏れ防止カフ
７１    縁部
７２    弾性体
３１４    サンクションドラム
３１６    ダクト
３１８    ポリマー投入管
３２４    ヒートシール装置
【図１】
0005679778.tif 000002
【図２】
0005679778.tif 000003
【図３】
0005679778.tif 000004
【図４】
0005679778.tif 000005
【図５】
0005679778.tif 000006
【図６】
0005679778.tif 000007
【図７】
0005679778.tif 000008
【図８】
0005679778.tif 000009
【図９】
0005679778.tif 000010
【図１０】
0005679778.tif 000011
【図１１】
0005679778.tif 000012
【図１２】
0005679778.tif 000013
【図１３】
0005679778.tif 000014